(57)【要約】【課題】回路構成の複雑化，大型化やコストの上昇をなくして、電源電圧Ｖの変動による影響をなくすことができるようにする。【解決手段】入力端子１からの搬送波信号Ｃは、電力増幅器６1〜６32に供給される。入力端子２からの変調信号ＭはＡ／Ｄ変換器３でデジタル変換され、そのデジタルデータ値Ａｄ1が切替信号生成部５に供給される。ＰＡ電源９の電源電圧Ｖが電圧検出部１０で検出され、Ａ／Ｄ変換器４でデジタル変換され、デジタルデータ値Ａｄ2として切替信号生成部５に供給される．切替信号生成部５では、減算器１１でデジタルデータ値Ａｄ2から電源電圧Ｖの変動分が検出され、減算器１２でデジタルデータ値Ａｄ1からこの変動分が減算される。減算器１２からのデジタルデータ値Ａｄ1’の下位６ビットは夫々電力増幅器６27〜６32のＯＮ／ＯＦＦ切替信号となり、上位５ビットからＰＡ選択部１３で電力増幅器６1〜６26のＯＮ／ＯＦＦ切替信号が生成される。【選択図】図１
2007235383.tif 000002
【特許請求の範囲】
【請求項１】
同じ搬送波信号を増幅する複数の電力増幅器と、
アナログ変調信号をデジタル変調信号に変換する第１のアナログ・デジタル変換器と、
該電力増幅器の電源からの電源電圧を検出する検出部と、
該検出部で検出された該電源電圧をデジタル電圧に変換する第２のアナログ・デジタル変換器と、
該第１のアナログ・デジタル変換器から出力されるデジタルデータ値と該第２のアナログ・デジタル変換器から出力される第２のデジタルデータ値とに応じて、該電力増幅器毎のＯＮ／ＯＦＦ切替信号を生成する切替信号生成部と、
該複数の電力増幅器の出力信号を加算合成する加算合成部と
とを備え、
該電源電圧の変動に伴う該加算合成部からの出力信号の振幅変動を低減するように構成したことを特徴とする無線機。
【請求項２】
請求項１において、
前記電源電圧の変動に伴う前記複数の電力増幅器のＯＮ／ＯＦＦの切替え回数を低減する手段を設けたことを特徴とする無線機。
【発明の詳細な説明】
【技術分野】
【０００１】
本発明は、信号を電力増幅する複数の電力増幅器を備えた無線機に係り、特に、これら電力増幅器を変調信号に応じてＯＮ／ＯＦＦ制御し、かつこれら電力増幅器の出力を合成することにより、電力増幅された送信信号を得ることができるようにした無線機に関する。
【背景技術】
【０００２】
従来、搬送波信号を電力増幅する複数の電力増幅器を用い、これら電力増幅器を変調信号に応じてＯＮ／ＯＦＦ制御し、かつこれら電力増幅器の出力を合成することにより、電力増幅された送信信号を得ることができるようにした無線機が提案されている（例えば、特許文献１参照）。
【０００３】
この特許文献１に記載の無線機では、入力される音声信号（変調信号）をＡ／Ｄ変換回路でデジタル信号に変換し、これを信号分配器としての変調エンコーダに供給し、このデジタル信号の各ビットをＯＮ／ＯＦＦ切替信号として、夫々の電力増幅器に供給し、変調信号の振幅に応じて夫々の電力増幅器をＯＮ／ＯＦＦ切り替える。そして、これら電力増幅器の出力信号を合成して、変調信号で搬送波信号が変調された送信信号を得るようにしている。
【０００４】
特許文献１に記載の無線機では、さらに、上記の電力増幅器の電源回路の電源電圧の変動による送信信号の振幅変動を防止するための手段が設けられている。
【０００５】
これは、かかる電源電圧の変動を検出し、この変動成分を反転してアナログの電力増幅器で増幅し、上記の電力増幅された送信信号に加算するものである。この送信信号は、複数の電力増幅器の出力信号の合成信号として得られたときには、上記電源回路の電源電圧の変動によって振幅が変動するが、これがアナログの電力増幅器の出力信号が加算されることにより、この振幅変動分がキャンセルされ、一定の振幅の送信信号が得られようにしたものである。
【特許文献１】特開平９−２８４０５３号公報
【発明の開示】
【発明が解決しようとする課題】
【０００６】
ところで、上記従来技術では、電源電圧Ｖの変動による影響をなくすために、アナログの電力増幅器やこれを動作させるための手段などが付加されることになり、部品点数が増加して回路構成の複雑化、大型化することになるし、また、コストの上昇を招くという問題があった。
【０００７】
本発明の目的は、かかる問題を解消し、回路構成の複雑化，大型化やコストの上昇をなくして、電源電圧Ｖの変動による影響をなくすことができるようにした無線機を提供することにある。
【０００８】
また、上記従来技術では、補正信号生成部１１で生成された補正信号を演算部３に供給されることにより、変調信号Ｍが常時補正されているものであるから、補正信号にわずかな変動があっても、Ａ／Ｄ変換器４から出力されるデジタル信号の値が変化する。このため、特に、小振幅の変動に対してＯＮ／ＯＦＦ制御されるバイナリの関係にある振幅の信号を出力する電力増幅器６27〜６32が頻繁にＯＮ／ＯＦＦの切替制御がなされることになり、さらに、場合によっては、一定振幅の信号を出力する電力増幅器６1〜６26もＯＮ／ＯＦＦの切替制御がなされることになり、これによる切替ノイズが頻繁に発生することになる。
【０００９】
本発明の他の目的は、さらに、切替ノイズの低減を可能とした無線機を提供することにある。
【課題を解決するための手段】
【００１０】
上記目的を達成するために、本発明は、同じ搬送波信号を増幅する複数の電力増幅器と、アナログ変調信号をデジタル変調信号に変換するアナログ・デジタル変換する第１のアナログ・デジタル変換器と、該電力増幅器の電源からの電源電圧を検出する検出部と、該検出部で検出された該電源電圧をデジタル電圧に変換する第２のアナログ・デジタル変換器と、該第１のアナログ・デジタル変換器から出力されるデジタルデータ値と該第２のアナログ・デジタル変換器から出力される第２のデジタルデータ値とに応じて、該電力増幅器毎のＯＮ／ＯＦＦ切替信号を生成する切替信号生成部と、該複数の電力増幅器の出力信号を加算合成する加算合成部とを備え、該電源電圧の変動に伴う該加算合成部からの出力信号の振幅変動を低減するように構成したことを特徴とするものである。
【００１１】
また、本発明は、上記の電源電圧の変動に伴う前記複数の電力増幅器のＯＮ／ＯＦＦの切替え回数を低減する手段を設けたことを特徴とするものである。
【発明の効果】
【００１２】
本発明によると、部品点数や回路規模の増大化を防止し、コストの低減などを可能として、複数の電力増幅器に供給される電源電圧の変動による影響を除くことができる。
【００１３】
また、本発明は、複数の電力増幅器のＯＮ／ＯＦＦの切り替え回数を低減するものであるから、切替ノイズを低減できる。
【発明を実施するための最良の形態】
【００１４】
以下、本発明の実施形態を図面を用いて説明する。
【００１５】
図１は本発明による無線機の第１の実施形態を示すブロック構成図であって、１，２は入力端子、３，４はＡ／Ｄ（アナログ・デジタル）変換器、５は切替信号生成部、６1〜６32は電力増幅器、７は加算合成部、８は出力端子、９はＰＡ電源、１０は電圧検出部、１１，１２は減算器、１３はＰＡ（電力増幅器）選択部である。
【００１６】
同図において、入力端子１から入力される搬送波信号Ｃは、複数の電力増幅器、ここでは、３２個の電力増幅器６1〜６32に同時に供給され、夫々毎に増幅される。これら電力増幅器６1〜６32には、ＰＡ電源９から電源電圧Ｖが供給されている。
【００１７】
入力端子２から入力された変調信号Ｍは、Ａ／Ｄ変換器３で、例えば、１１ビットのデジタルデータ値Ａｄ1のデジタル信号に変換された後、切替信号生成部５に供給される。また、電圧検出部１０で検出されたＰＡ電源９の電源電圧Ｖは、Ａ／Ｄ変換器４で、例えば、８ビットのデジタルデータ値Ａｄ2のデジタル電圧に変換された後、切替信号生成部５に供給される。
【００１８】
切替信号生成部５では、Ａ／Ｄ変換器３からのデジタル信号が減算器１２に供給される。また、Ａ／Ｄ変換器４からのデジタル信号が減算器１１に供給されて、設定値ＡＤsが減算される。設定値ＡＤsは、電源電圧Ｖが所定の基準電圧値であるときのＡ／Ｄ変換器４から出力されるデジタルデータ値であり、Ａ／Ｄ変換器４から出力されるデジタルデータ値Ａｄ2からこの設定値ＡＤsが減算されることにより、電源電圧Ｖがその所定の基準電圧値から変動したときの電圧変動分±ΔＡｄ2が得られる。この電圧変動分±△Ａｄ2が減算器１２に供給され、Ａ／Ｄ変換器３から供給されるディジタル化された変調信号Ｍのデジタルデータ値Ａｄ1からこの電圧変動分±ΔＡｄ2が減算される。これにより、減算器１２からは、デジタルデータ値Ａｄ1から電源電圧Ｖの所定の基準電圧値からの変動分に相当するデジタルデータ値±△Ａｄ2だけ増減したデジタルデータ値Ａｄ1’が得られる。
【００１９】
このデジタルデータ値Ａｄ1’の、例えば、下位６ビットは夫々、ＯＮ／ＯＦＦ切替信号として、出力電圧の関係がバイナリの電力増幅器６27，６28，……，６32に供給される。これら電力増幅器６27，６28，……，６32は、供給されるＯＮ／ＯＦＦ切替信号が“１”（例えば、高レベル）ビットであるときには、ＯＮして増幅動作を行ない、“０”（例えば、低レベル）ビットであるときには、ＯＦＦして増幅動作を行なわない。
【００２０】
Ａ／Ｄ変換器３から出力されるデジタルデータ値Ａｄ1’の残りのビット、即ち、上位５ビットはＰＡ選択部１３に供給される。このＰＡ選択部１３では、この５ビットのデータが２進３２ビットのデータに変換される。この２進３２ビットのデータは、この５ビットのデータが１０進数で値０のとき、３２ビット全てが“０”であり、この５ビットのデータが１０進数で値１のとき、３２ビットの最下位のビットが“１”、この５ビットのデータが１０進数で値２のとき、３２ビットの下位側の２ビットが“１”、この５ビットのデータが１０進数で値３のとき、３２ビットの下位側の３ビットが“１”，……となるように、５ビットのデータの値に応じた個数だけ３２ビットの下位からのビットが“１”となるものである。
【００２１】
また、ＰＡ選択部１３で生成される３２ビットのうち、下位２６ビットが夫々、ＯＮ／ＯＦＦ切替信号として、下位側から順に電力増幅器６26，６25，……，６2，６1に供給される。これら電力増幅器６26，６25，……，６2，６1は、そこに供給されるＯＮ／ＯＦＦ切替信号が“１”ビットであるときには、ＯＮして増幅動作を行ない、“０”ビットであるときには、ＯＦＦして増幅動作を行なわない。
【００２２】
ここで、電力増幅器６26，６25，……，６2，６1は増幅率が等しく、等振幅の信号を出力する。これに対し、電力増幅器６27は、電力増幅器６26，６25，……，６2，６1の出力振幅をＡとすると、Ａ／２の振幅の信号を出力し、以下、電力増幅器６28はＡ／４の振幅の信号を、……、電力増幅器６32はＡ／６４の振幅の信号を夫々出力する。このように、電力増幅器６26，６25，……，６2，６1は夫々等振幅Ａの信号を出力するが、電力増幅器６27，６28，……，６32は順次１／２倍ずつ小さくなるバイナリ振幅の信号を出力する。
【００２３】
これら電力増幅器６1〜６32の出力信号は加算合成部７で加算合成され、送信信号Ｔとして出力端子８から出力される。従って、これら電力増幅器６1〜６32がＯＮ／ＯＦＦ切替信号にＯＮ／ＯＦＦ制御されることにより、出力端子８では、振幅が０から（２６＋６３／６４）×Ａまでの（２６＋１）×２6＝１７２８通りの振幅の送信信号Ｔが得られることになる。即ち、入力端子２から入力されるアナログの変調信号Ｍで搬送波信号Ｃが振幅変調され、かつ電力増幅された送信信号Ｔが出力端子８に得られることになる。
【００２４】
この場合、デジタルデータ値Ａｄ1’は、電源電圧Ｖの所定の基準電圧値からの変動分に相当する値だけ補正されているから、その変動分だけＰＡ電源９の電源電圧が変動しても、この変動分がこの補正による電力増幅器６1，６2，……，６26のＯＮ／ＯＦＦ切替信号の組み合わせの変化によってキャンセルされることになり、加算合成部７からはＰＡ電源９の電源電圧の変動に影響されない振幅の合成信号が得られることになる。
【００２５】
そして、この第１の実施形態では、構成が簡単で低コストのデジタルの減算器１１，１２を用いることにより、ＰＡ電源９の電源電圧の変動による影響を除くことができるものであって、部品点数の低減して規模の増大化を防止でき、コストの低減などを図ることができる。
【００２６】
なお、図示しないが、例えば、減算器１２はラッチ機能を備えており、減算処理されたデジタルデータ値Ａｄ1’はこのラッチ機能によって次のデジタルデータ値Ａｄ1’が得られるまで保持されて出力される。これにより、ＯＮ／ＯＦＦ切替信号は、この“１”，“０”状態が、その切り替わりがあるまで、連続的に保持される。従って、各電力増幅器６1〜６32は、ＯＮ／ＯＦＦ切替信号の“１”，“０”の切り替えがあるまで、ＯＮまたはＯＦＦの状態を継続する。
【００２７】
図２は本発明による無線機の第２の実施形態を示すブロック構成図であって、１４は選択テーブルであり、図１に対応する部分には同一符号を付けて重複する説明を省略する。
【００２８】
同図において、この第２の実施形態は、切替信号生成部５として、選択テーブル１４を備えたものを用いるものである。
【００２９】
入力端子２から入力された変調信号Ｍは、Ａ／Ｄ変換器４で、例えば、１１ビットのデジタル信号に変換された後、切替信号生成部５に供給される。また、電圧検出部１０で検出されたＰＡ電源９の電源電圧Ｖは、Ａ／Ｄ変換器４で、例えば、８ビットのデジタル電圧に変換された後、切替信号生成部５に供給される。
【００３０】
切替信号生成部５には、電力増幅器６1〜６32のＯＮ／ＯＦＦ切替信号の各種組み合わせが格納されている選択テーブル１４が設けられており、Ａ／Ｄ変換器３からのデジタルデータ値（以下、入力デジタルデータ値という）Ａｄ1とＡ／Ｄ変換器４からのデジタルデータ値（以下、補正デジタルデータ値という）Ａｄ2とのビット配列が単純に組み合わされたものが、切替信号生成部５での選択テーブル１４のアドレスを指定するアドレス値Ａｄとなる。このアドレス値Ａｄで選択テーブル１４のアドレスＡｄが指定されることにより、この指定されたアドレスＡｄに記憶されている電力増幅器６1〜６32のＯＮ／ＯＦＦ切替信号の組み合わせが読み出されて夫々電力増幅器６1〜６32に供給される。
【００３１】
この選択テーブル１４では、かかるデジタルデータ値Ａｄ1，Ａｄ2の組み合わせによるアドレス値Ａｄで指定されるアドレスＡｄに、このアドレス値Ａｄを形成するデジタルデータ値Ａｄ1，Ａｄ2に応じた電力増幅器６1〜６32のＯＮ／ＯＦＦ切替信号の組み合わせが記憶されている。具体的には、上記のように、ＰＡ電源９の電源電圧Ｖが変動すると、電力増幅器６1〜６32の出力信号の振幅も変動して加算合成部７の出力信号の振幅も変動するが、この振幅変動を除去してこのときの入力デジタルデータ値Ａｄ1に応じた振幅の出力信号が得られるように、電力増幅器６1〜６32のうちのＯＮとなる電力増幅器の組み合わせを生じさせるＯＮ／ＯＦＦ切替信号の組み合わせが、このときの入力デジタルデータ値Ａｄ1と補正デジタルデータ値Ａｄ2とのアドレス値Ａｄによって指定される選択テーブル１４のアドレスＡｄに格納されているものである。
【００３２】
例えば、ＰＡ電源９の電源電圧Ｖが規定の基準電圧値であるときのＡ／Ｄ変換器４から出力されるデジタルデータ値Ａｄ2をＡＤ2とすると、この電源電圧Ｖのこの規定電圧値ＡＤ2からの変動分△Ａｄ2は、
△Ａｄ2＝Ａｄ2−ＡＤ2
となる。また、Ａ／Ｄ変換器３からの入力デジタルデータ値Ａｄ1とＡ／Ｄ変換器４からの補正デジタルデータ値Ａｄ2とによる選択テーブル１４での上記のアドレス値Ａｄをアドレス〔Ａｄ1・Ａｄ2〕として表わすものとすると、選択テーブル１４でのこのアドレス〔Ａｄ1・Ａｄ2〕に格納されているデータＤは、
Ｄ＝Ａｄ1±ΔＡｄ2              …………（１）
となる。ここで、＋△Ａｄ2（即ち、Ａｄ2≧ＡＤ2）のときには、上記式（１）は、
Ｄ＝Ａｄ1−ΔＡｄ2
であり、−Ａｄ2（即ち、Ａｄ2＜ＡＤ2）のときには、上記式（１）は、
Ｄ＝Ａｄ1＋ΔＡｄ2
である。かかるデータＤの各ビットが電力増幅器６1〜６32夫々のＯＮ／ＯＦＦ切替信号である。
【００３３】
従って、順次Ａ／Ｄ変換器３からの入力デジタルデータ値Ａｄ1とＡ／Ｄ変換器４からの補正デジタルデータ値Ａｄ2とが切替信号生成部５に供給されることにより、選択テーブル１４では、これら入力デジタルデータ値Ａｄ1と補正デジタルデータ値Ａｄ2との組み合わせ〔Ａｄ1・Ａｄ2〕によってアドレスＡｄが指定されると、この指定されたアドレスＡｄからこれら入力デジタルデータ値Ａｄ1と補正デジタルデータ値Ａｄ2とに応じた上記のＯＮ／ＯＦＦ切替信号（即ち、ビット）の組み合わせ（上記のデータＤ）が読み出され、夫々のＯＮ／ＯＦＦ切替信号が該当する電力増幅器６1〜６32に供給される。これにより、このとき、ＰＡ電源９の電源電圧Ｖが変動しても、これによって振幅が影響されない送信信号Ｔが加算合成部７から得られるように、電力増幅器６1〜６32がＯＮ／ＯＦＦ制御されることになる。
【００３４】
以上のように、この第２の実施形態では、電力増幅器６1〜６32のＯＮ／ＯＦＦ切替信号が上記選択テーブル１４が格納された切替信号生成部５で作成されるものであって、ＰＡ電源９からの電源電圧Ｖは、入力される変調信号Ｍとともに、選択テーブル１４からこの電源電圧Ｖの変動を除くような電力増幅器６1〜６32のＯＮ／ＯＦＦ切替信号を読み出すためのアドレス値として使用するものであるから、この電源電圧Ｖの変動分を除くための上記変調信号Ｍの演算処理部やこれを動作させるための手段を用いる必要がなく、部品点数の増加やコストアップを回避して電源電圧Ｖの変動による影響を効果的に取り除くことが可能となる。
【００３５】
図３は本発明による無線機の第３の実施形態を示すブロック構成図であって、４’はＡ／Ｄ変換器、１５はサンプリングパルス発生部、１６は分周回路であり、図２に対応する部分には同一符号を付けて重複する説明を省略する。
【００３６】
この第３の実施形態は、さらに、かかる切替ノイズの発生を低減し、安定した送信信号Ｔを得ることができるようにすることをも目的とするものである。
【００３７】
図３において、Ａ／Ｄ変換器４では、サンプリングパルス発生部１５から、例えば、周波数１ＭＨｚのサンプリングパルスＳが供給され、入力端子２からの変調信号ＭがこのサンプリングパルスＳの周期でサンプリングされてデジタルデータ値Ａｄ1のデジタル信号に変換される。
【００３８】
また、サンプリングパルス発生部１５で発生されるサンプリングパルスＳは分周回路１６で分周され、サンプリングパルスＳ’としてＡ／Ｄ変換器４’に供給される。これにより、電圧検出部１０で検出されたＰＡ電源９の電源電圧Ｖは、このＡ／Ｄ変換器４’において、このサンプリングパルスＳ’の周期でサンプリングされてデジタル信号に変換される。
【００３９】
ここで、Ａ／Ｄ変換器４’はサンプリングパルスＳ’をラッチパルスとするラッチ機能も備えており、変換されたデジタル信号のデジタルデータ値はラッチパルスでラッチされて、次のデジタルデータ値が得られるまで連続して同じデジタルデータ値が補正デジタルデータ値Ａｄ2として出力される。Ａ／Ｄ変換器４’から出力される補正デジタルデータ値Ａｄ2は、第２の実施形態と同様、Ａ／Ｄ変換器４からのデジタルデータ値Ａｄ1とともに、切替信号生成部５に供給されて選択テーブル１４のアドレス値Ａｄを形成するのであるが、次のサンプリングパルスＳ’によるサンプリングタイミングまで保持されて切替信号生成部５に供給され続ける。
【００４０】
ここで、一般には、変調信号Ｍの振幅の変化に対し、電源電圧Ｖの変動は緩やかである。この第３の実施形態では、このことから、Ａ／Ｄ変換器４’での電源電圧Ｖのサンプリング周期を長くすることにより、単位時間当たりのサンプリング回数を低減し、サンプリングタイミング間では同じ補正デジタルデータ値Ａｄ2が切替信号生成部５に供給されるようにしている。これにより、電源電圧Ｖの変動が緩やかであっても、その変動による電力増幅器６1〜６32のＯＮ／ＯＦＦの割り当ての変化による電力増幅器６1〜６32での切替ノイズを低減することができる。
【００４１】
なお、この第３の実施形態では、図２に示す選択テーブル１４を備えた切替信号生成部５を用いたものとしたが、図１に示す切替信号生成部５を用いるようにしてもよい。
【００４２】
図４は本発明による無線機の第４の実施形態を示すブロック構成図であって、１７はゲート、１８はレジスタ、１９は比較器であり、図１，図２に対応する部分には同一符号を付けて重複する説明を省略する。
【００４３】
この第４の実施形態も、さらに、かかる切替ノイズの発生を低減し、安定した送信信号Ｔを得ることができるようにすることをも目的とするものである。
【００４４】
図４において、Ａ／Ｄ変換器３からの入力変調信号Ｍの入力デジタルデータ値Ａｄ1からなるデジタル信号は、切替信号生成部５に供給される。
【００４５】
Ａ／Ｄ変換器４からの電源電圧Ｖのデジタルデータ値Ａｄ2からなるデジタル信号は、ゲート１７と比較器１９とに供給される。比較器１９は、デジタルデータ値Ａｄ2がＡ／Ｄ変換器４から出力される毎に、このデジタルデータ値Ａｄ2とレジスタ１８に保持されているデジタルデータ値Ａｄ2”とを比較し、これらの差分値の絶対値｜△Ａｄ2｜が予め決められた閾値ＴＡｄ2以下のときには、ゲート１７を閉じた状態にするが、この差分値の絶対値｜△Ａｄ2｜がこの閾値ＴＡｄ2を越えたときには、ゲート１７を開き、このときの補正デジタルデータ値Ａｄ2をゲート１７を介してレジスタ１８に保持させる。このレジスタ１８に保持されたデジタルデータ値Ａｄ2”が、補正デジタルデータ値として、切替信号生成部５に供給される。
【００４６】
これにより、Ａ／Ｄ変換器４から出力されるデジタルデータ値Ａｄ2が上記閾値ＴＡｄ2を越えるように、ＰＡ電源９の電源電圧Ｖが変動する場合には、レジスタ１８から切替信号生成部５に供給される補正デジタルデータ値Ａｄ2”が変化するが、電源電圧Ｖに変動があっても、これによるデジタルデータ値Ａｄ2の変動が上記閾値ＴＡｄ2を越えない程度の小さい変動である場合には、補正デジタルデータ値Ａｄ2”は変化せず、一定に保持されている。
【００４７】
このようにして、この第４の実施形態では、ＰＡ電源９の電源電圧Ｖの変動が所定の閾値内の加算合成部７から出力される信号で小さい振幅変動がある場合には、補正デジタルデータ値Ａｄ2”は変化することなく、このため、電力増幅器６1〜６32のＯＮ／ＯＦＦの割り当ての変化の回数が低減されることになり、かかる変化による切替ノイズを低減できる。
【００４８】
ここで、電源電圧Ｖの変動が大きいか、小さいかにかかわらず、これによって電力増幅器のＯＮ，ＯＦＦが切り替わった場合には、１つの電力増幅器についてみると、それによって発生する切替ノイズの大きさは同じであり、ＯＮ，ＯＦＦの切替えが行なわれる電力増幅器の個数に応じて加算合成部７から出力される送信信号での切替えノイズの大きさが異なる。しかし、例えば、いま、Ａ／Ｄ変換器４のデジタルデータ値Ａｄ2が補正デジタルデータ値として直接切替信号生成部５に供給されている場合には、電力増幅器６26がＯＦＦ状態にあり、電力増幅器６27〜６32の全てがＯＮ状態にあって、電源電圧Ｖのわずかな変動により、この補正デジタルデータ値Ａｄ2の最下位ビットが変化した場合でも、電力増幅器６27〜６32の全てがＯＦＦ状態となって、電力増幅器６26がＯＮ状態となるような場合もあり、電源電圧Ｖのわずかな変動に対して、多くの電力増幅器の状態が切り替わることになる。この第４の実施形態は、このような電源電圧Ｖの変動に対しては、電力増幅器６1〜６32の状態の切り替わりが行なわれないようにするものであり、これにより、切替えノイズの発生を低減できるものである。
【００４９】
なお、切替信号生成部５としては、図１に示す切替信号生成部５を用いてもよいし、また、図２に示す切替信号生成部５を用いてもよい。
【図面の簡単な説明】
【００５０】
【図１】本発明による無線機の第１の実施形態を示すブロック構成図である。
【図２】本発明による無線機の第２の実施形態を示すブロック構成図である。
【図３】本発明による無線機の第３の実施形態を示すブロック構成図である。
【図４】本発明による無線機の第４の実施形態を示すブロック構成図である。
【符号の説明】
【００５１】
１，２  入力端子
３，４  Ａ／Ｄ変換器
５  切替信号生成部
６1〜６32  電力増幅器
７  加算合成部
８  出力端子
９  ＰＡ電源
１０  電圧検出部
１１，１２  減算器
１３  ＰＡ（電力増幅器）選択部
１４  選択テーブル
１５  サンプリングパルス発生部
１６  分周回路
１７  ゲート
１８  レジスタ
１９  比較器１２
【図１】
2007235383.tif 000003
【図２】
2007235383.tif 000004
【図３】
2007235383.tif 000005
【図４】
2007235383.tif 000006